(57)【要約】再利用可能な密封式プラスチックドラム（１００）は、凸状縁部半径を有する凸状上側縁部（１１０）を備えたプラスチックドラム本体（１０２）を含む。プラスチック蓋（１１４）は、上側縁部を受けるための寸法となった環状の周囲係合溝（１１８）を有する。この溝は、内壁（１２０）と、外壁（１２２）と、上側縁部を収容するための口と、上側縁部に係合するためのベース面（１２４）とを有する。このベース面は凹状半径を有し、それは凸状縁部半径と合致する。ロックバンドは外壁（１３０）を取り囲む。このロックバンドを締め付けることにより、凹状ベース半径は凸状縁部半径に密封関係で十分に係合する。
2004533975.tif 000002
【特許請求の範囲】
【請求項１】
プラスチックドラム本体とプラスチック蓋とロックバンドとを具備してなる再利用可能な密封式プラスチックドラムであって、
前記プラスチックドラム本体は凸状縁部半径を有する凸状上側縁部を備え、
前記プラスチック蓋は前記上側縁部を収容するための寸法となった環状の周囲係合溝を有し、前記溝は、内壁と、外壁と、前記上側縁部を受けるための口と、前記上側縁部に係合するためのベース面とを有し、前記ベース面は前記凸状縁部半径と合致する凹状面を有し、
前記ロックバンドは前記外壁を取り囲み、前記ロックバンドを締め付けることにより、前記凹状ベース面は前記凸状縁部に密封関係で十分に係合することを特徴とする再利用可能な密封式プラスチックドラム。
【請求項２】
前記ロックバンドが締め付けられた際に、前記外壁によって圧縮可能な補助ガスケットをさらに具備してなることを特徴とする請求項１に記載の再利用可能な密封式プラスチックドラム。
【請求項３】
前記ドラム本体および前記蓋はポリプロピレンからなることを特徴とする請求項１に記載の再利用可能なプラスチックドラム。
【請求項４】
前記上側縁部は約０．１９０インチの上端幅を有することを特徴とする請求項１に記載の再利用可能な密封式プラスチックドラム。
【請求項５】
プラスチックドラム本体とプラスチック蓋とロックバンドとを具備してなる再利用可能な密封式プラスチックドラムであって、
前記プラスチックドラム本体は凸状縁部半径および上側面を有する凸状上側縁部を備え、
前記プラスチック蓋は前記上側縁部を収容するための寸法となった環状の周囲係合溝を有し、前記溝は、内壁と、外壁と、前記上側縁部を受けるための口と、前記上側縁部の前記上側面に係合するためのベース面とを有し、前記ベース面は前記凸状縁部半径と合致する凹状半径を有し、
前記ロックバンドは前記外壁を取り囲み、前記ロックバンドを締め付けることにより、前記凹状ベースは前記凸状縁部に、前記上側縁部における実質上、上側面全体に沿って密封関係で係合することを特徴とする再利用可能な密封式プラスチックドラム。
【請求項６】
前記ロックバンドが締め付けられた際に、前記外壁によって圧縮可能な補助ガスケットをさらに具備してなることを特徴とする請求項５に記載の再利用可能な密封式プラスチックドラム。
【請求項７】
前記ドラム本体および前記蓋はポリプロピレンからなることを特徴とする請求項５に記載の再利用可能なプラスチックドラム。
【請求項８】
前記上側縁部は約０．１９０インチの上端幅を有することを特徴とする請求項５に記載の再利用可能な密封式プラスチックドラム。
【発明の詳細な説明】
【技術分野】
【０００１】
本発明は合成樹脂からなるドラムに関し、さらに詳しくは、閉塞されたドラムへの空気および水蒸気の侵入が抑止されるよう、無ガスケット蓋あるいはカバーによって密封できる、そうしたプラスチックドラムに関する。
【背景技術】
【０００２】
合成樹脂からなるドラムおよび類似のコンテナは、あらゆる種類の粒状物質の貯蔵および船積みに広く使用されるようになった。そうしたドラムは安価で、耐久性があり、そして耐食性を持つ。このタイプの頭部開放式ドラムは、一般に、円形リムあるいは縁部（chime）を上側開放端部に備える。そうしたドラムは、その縁部に固定される別体のカバーあるいは蓋によって閉塞される。普通、蓋はシールを形成するため縁部に係合するガスケットを備える。このガスケットは通常、縁部の上側端部に正確に適合するよう、ドラム本体および蓋よりもいくぶん軟らかな合成樹脂から構成される。
【０００３】
ガスケットが配された蓋を有するそうしたドラムは、一般に、物質の貯蔵および輸送のためには満足できるものである。しかしながら、蓋と縁部との間にシールを形成するためにガスケットを使用することには若干の欠点がある。ガスケットの別個製造は、ドラムカバー製造の際に組立工程を必要とするが、これは製造コストを増大させる。ときに、比較的軟らかなガスケット材料は、それが裂けたり、すり減ったりすると、封入された製品を汚染するだけでなく、水蒸気がシールを通り抜けてしまう状態を招く。
【発明の開示】
【発明が解決しようとする課題】
【０００４】
それゆえ、ガスケットが配されたドラム蓋の不利な点に困ることのないドラム蓋あるいはカバーの実現が長い間求められていた。
【課題を解決するための手段】
【０００５】
従来式のガスケットが配されたドラムカバーの欠陥は、本発明の無ガスケットカバーによって緩和される。本発明によれば、再利用可能な密封式プラスチックドラムは、プラスチックドラム本体とプラスチック蓋とロックバンドとを具備し、プラスチックドラム本体は凸状縁部半径を有する凸状上側縁部を備え、プラスチック蓋は上側縁部を収容するための寸法となった環状の周囲係合溝を有し、この溝は、内壁と、外壁と、上側縁部を受けるための口と、上側縁部に係合するためのベース面とを有し、このベース面は凸状縁部半径と合致する凹状半径を有し、ロックバンドは外壁を取り囲み、このロックバンドを締め付けることにより、凹状ベース半径は凸状縁部半径に密封関係で十分に係合する。
【０００６】
すなわち、密封式プラスチックドラムを提供することが本発明の目的である。
【０００７】
さらなる目的は、密封ガスケットを含まない蓋あるいはカバーを有する密封式プラスチックドラムを提供することである。
【０００８】
さらなる目的は、水蒸気の透過に対して抵抗力のある、無ガスケット密封式プラスチックドラムを提供することである。
【０００９】
さらなる目的は、ガスケット材料のすり減り、割裂、剥離、あるいは断裂による汚染の可能性を排除する、無ガスケット密封ドラムを提供することである。
【００１０】
本発明のさらなる目的は、以下の本発明に関する説明から明らかになる。
【発明を実施するための最良の形態】
【００１１】
図１に示すように、本発明に係る密封式ドラム１００は概して円筒形状を有するとともに、底１０４および壁１０６を含む、概ね従来型のドラム本体１０２を具備する。壁１０６は、その上側端部において、上側面１１２が凸状に湾曲している縁部１１０が末端をなしている。ドラム壁１０６から概して水平方向に延在するフランジ１０８は、縁部１１０から僅かな距離だけ下方でドラム１００を取り囲んでいる。
【００１２】
密封式ドラム１００のカバーあるいは蓋１１４は、ドラム本体１０２の縁部１１０を受ける周囲溝よって取り囲まれたパネル１１６を具備する。この周囲溝１１８は、内壁１２０と、外壁１２２と、凹状湾曲を有するベース１２４とを具備する。周囲溝１１８の外壁１２２の下側縁部には、カバー１１４がドラム本体１０２に嵌め込まれた際に、ドラムフランジ１０８の上に載る、あるいは密接にそれに近接する、水平方向に延在するフランジ１２６が設けられている。概ね従来型のロックバンド１３０は、ドラムフランジ１０８およびカバーフランジ１２６を取り囲む。このロックバンド１３０は、たとえばレバーあるいはトグルのようなあらゆる慣用的な手段によって、カバーフランジを半径方向に圧縮し、かつドラムを密封するべくカバーに下向きの力を加えるために締め付けられる。
【００１３】
本発明によれば、ドラムを密封するために周囲溝１１８のベース１２４に慣例的に位置させられる比較的軟らかなガスケットは使用されていない。代わりに、図２に最もよく示されているように、周囲溝１１８のベース１２４の凹状湾曲と、縁部１１０の上側面１１２の凸状湾曲とがぴったりと一致している。それゆえ周囲溝１１８のベース１２４は、蓋１１４がドラム本体１０２に嵌め込まれた際、縁部１１０の上側面１１２に対してぴったりと適合する。圧縮バンド１３０がフランジ１０８および１２６の周囲において締め付けられた際、ドラム蓋は下方に引き延ばされ、そして周囲溝１１８の外壁１２２は半径方向内向きに圧縮される。この動きにより、周囲溝１１８のベース１２４は、シールを形成するのに十分な圧力で、縁部１１０の上側面１１２にしっかりと押圧させられる。
【００１４】
良好なシールを得るため縁部１１０の上端の幅は、この縁部１１０の上側面１１２と周囲溝１１８のベース１２４との間に、比較的大きな接触領域を提供するのに十分な程度に大きなものとすべきである。好ましくは、縁部１１０の上端の幅（上端幅）は、約０．１９０インチ（４．８３ミリメートル）である。しかしながら熟練した専門家ならば、縁部１１０の上側面１１２の凸状湾曲が周囲溝１１８のベース１２４の凹状湾曲にぴったりと一致する限り、縁部１１０の上端の幅は、この特定の幅より、いくらか大きくてもあるいは小さくてもよいことが、そしてこの幅は満足できるシールを提供するのに十分な程度に大きなものであることがわかるであろう。
【００１５】
付加的な密封セキュリティーが要望されるならば、ドラムは、図３に示すように、ドラムフランジ１０８の内側縁部に位置させられる、補助圧縮式密封リング１３２を具備してもよい。ロックバンド１３０が締め付けられた際、カバーのヒール１２８は、付加的なシールを形成するため密封リング１３２を圧縮する。
【００１６】
本発明に係るドラムおよび蓋は、あらゆる好適なプラスチック材料から形成できる。高密度ポリエチレンおよびポリプロピレンのような合成樹脂は、ドラム本体および蓋を形成するのに好適である。ロックバンドについても、それが要求される圧縮力をドラムフランジに加えるのに十分な強度を有するのであれば、プラスチック材料から構成してもよい。従来型の金属ロックバンドも使用できる。ドラム本体１０２および蓋１１４は、このドラム本体および蓋となる合成樹脂にとって好適な従来の成型技術によって製造できる。
【００１７】
いま本発明について十分に説明したが、本発明は、その精神あるいは本質的な特徴から乖離することなく、他の特定の形態あるいは変形例として具現化できることは理解されるであろう。すなわち上記実施形態は、その全てに関し、説明のためのものであって限定のためのものではないと考えるべきで、本発明の範囲は上述した説明よりもむしろ添付した請求項によって示され、そして請求項の均等の趣意および範囲内で生じる全ての変更は、請求項に包含されるよう意図されている。
【図面の簡単な説明】
【００１８】
【図１】本発明に係るドラムの、一部を切り取った状態での立側面図である。
【図２】図１における円２によって示される、シールを形成しているドラム縁部および無ガスケット蓋の一部の断面図である。
【図３】ドラム蓋の外壁のヒールによって圧縮された補助密封ガスケットを含む、本発明の他実施形態の断面図である。
【符号の説明】
【００１９】
１００  密封式ドラム
１０２  ドラム本体
１０４  底
１０６  壁
１０８  フランジ
１１０  縁部
１１２  上側面
１１４  カバーあるいは蓋
１１６  パネル
１１８  周囲溝
１２０  内壁
１２２  外壁
１２４  ベース
１２６  フランジ
１２８  ヒール
１３０  ロックバンド
１３２  密封リング
【国際公開パンフレット】
2004533975.tif 000003
2004533975.tif 000004
2004533975.tif 000005
2004533975.tif 000006
2004533975.tif 000007
2004533975.tif 000008
2004533975.tif 000009
2004533975.tif 000010
2004533975.tif 000011
2004533975.tif 000012
【国際調査報告】
2004533975.tif 000013